(57)【要約】  電子機器分野に関し、特に自撮り棒に関する。伸縮スティックと、伸縮スティックの頂部に固定される接続ヘッドとを備える自撮り棒は、ホルダに接続するためのコネクタを備え、当該コネクタの一端部は、接続ヘッドに回転可能に接続されている。構成がシンプルであり、ホルダと合わせて使用できる自撮り棒を提供し、複雑な操作を必要とせず、自撮り棒で直接携帯電話を挟持することによる携帯電話への損傷を防止することができる。また、携帯電話はホルダによりしっかりと自撮り棒に固定されるので、ユーザが揺らしても携帯電話が落下して携帯電話を損傷することがなく、ユーザが揺らしても自撮り棒における携帯電話の位置ずれが生じることでユーザの自撮り操作に影響を及ぼすこともない。【選択図】図１
2019537739.tif 000002
【特許請求の範囲】
【請求項１】
伸縮スティック（１１０）と、伸縮スティック（１１０）の頂部に固定される接続ヘッド（１２０）とを備える自撮り棒であって、
前記自撮り棒は、ホルダに接続するためのコネクタ（１３０）を備え、
当該コネクタ（１３０）の一端部は、接続ヘッド（１２０）に回転可能に接続されている
ことを特徴とする自撮り棒。
【請求項２】
前記コネクタ（１３０）の他端部に、第１係合溝（１３１）と、前記第１係合溝（１３１）の設置方向とは異なる設置方向に少なくとも１つの第２係合溝（１３３）とが設けられていることを特徴とする請求項１に記載の自撮り棒。
【請求項３】
前記第１係合溝（１３１）は、前記コネクタ（１３０）の端面に平行に設けられ、前記第２係合溝（１３３）は、前記第１係合溝（１３１）に垂直に設けられていることを特徴とする請求項２に記載の自撮り棒。
【請求項４】
前記コネクタ（１３０）は、前記第１係合溝（１３１）が設けられたガイド部（１３１１）を備えることを特徴とする請求項１乃至３のいずれか１つに記載の自撮り棒。
【請求項５】
前記自撮り棒は、前記コネクタ（１３０）と接続ヘッド（１２０）との回転接続位置に設けられる締付け部材（１２４）を備えることを特徴とする請求項１に記載の自撮り棒。
【請求項６】
前記伸縮スティックの下部に、シャッターボタン（１１１１）を有するハンドル部（１１１）が設けられていることを特徴とする請求項５に記載の自撮り棒。
【請求項７】
前記自撮り棒は、一端部が前記シャッターボタン（１１１１）に接続され且つ他端部に導電コンタクトが設けられるシャッター線（１２１）を備え、
前記接続ヘッド（１２０）に、前記シャッター線（１２１）の導電コンタクトを挿着するためのシャッター線ポート（１２２）が設けられていることを特徴とする請求項６に記載の自撮り棒。
【請求項８】
伸縮スティック（１１０）と、伸縮スティック（１１０）の頂部に固定される接続ヘッド（１２０）とを備える自撮り棒であって、
ホルダに接続するためのコネクタ（１３０）を備え、
前記コネクタ（１３０）の一端部は前記接続ヘッド（１２０）に回転可能に接続され、他端部にガイド部（１３１１）が設けられ、
前記ガイド部（１３１１）に、第１係合溝（１３１）と第２係合溝（１３３）が設けられ、
前記第１係合溝（１３１）は、前記コネクタ（１３０）の端面に平行に設けられ、前記第２係合溝（１３３）は、前記第１係合溝（１３１）に垂直に設けられ、
前記コネクタ（１３０）と接続ヘッド（１２０）との回転接続位置に、締付け部材が設けられ、
前記伸縮スティックの下部に、シャッターボタン（１１１１）を有するハンドル部（１１１）が設けられている
ことを特徴とする自撮り棒。
【発明の詳細な説明】
【技術分野】
【０００１】
本発明は、電子機器分野に関し、特に自撮り棒に関する。
【背景技術】
【０００２】
撮影機材の発展に伴い、カメラやビデオカメラは、人々の生活エピソードを記録する便利な機器として、日常生活において幅広く使われている。特に、写真やビデオを撮影する機能を有する携帯電話が普及しつつあり、人々は随時写真やビデオを撮影することができるようになった。
【０００３】
人々は携帯電話で自撮りするとき、通常、自撮り棒に携帯電話を固定して、補助撮影を行う。自撮り棒は一定の長さの範囲内で任意に伸縮できるので、使用者は自撮り棒にあるシャッターキーを押せば、様々な角度での自撮りを実現することができる。しかし、多くの人は携帯電話ケースを使用して携帯電話をカバーしており、市販の携帯電話ケースでは機能が単一なために、ユーザの多くのニーズは満たされていない。
【０００４】
また、従来の自撮り棒は、挟持ヘッドで携帯電話をしっかりと挟持する必要があり、挟持する箇所で携帯電話を傷つけやすい。また、挟持ヘッドは携帯電話より小さいため、大きな力で挟持ヘッドを引き離して挟持ヘッドの間に携帯電話を置く必要があり、手間がかかる。
【０００５】
このため、携帯電話ケースと合わせて使用でき、構成がシンプルで、操作が容易で、堅固な自撮り棒を提供することは、今まで当業者が主として検討してきた課題の１つである。
【発明の概要】
【発明が解決しようとする課題】
【０００６】
本発明は、従来技術の上記問題を鑑みて、操作が面倒であり、構成が複雑であり、携帯電話を傷つけやすいという問題を解決することのできる自撮り棒を提供することを目的とする。
【課題を解決するための手段】
【０００７】
上記技術課題を解決するために、本発明は、伸縮スティックと、伸縮スティックの頂部に固定される接続ヘッドとを備える自撮り棒であって、前記自撮り棒は、ホルダに接続するためのコネクタを備え、当該コネクタの一端部は、接続ヘッドに回転可能に接続されていることを特徴とする。
【０００８】
また、好ましくは、前記コネクタの他端部に、第１係合溝と、前記第１係合溝の設置方向とは異なる設置方向に少なくとも１つの第２係合溝とが設けられていることを特徴とする。
【０００９】
また、好ましくは、前記第１係合溝は、前記コネクタの端面に平行に設けられ、前記第２係合溝は、前記第１係合溝に垂直に設けられていることを特徴とする。
【００１０】
また、好ましくは、前記コネクタは、前記第１係合溝が設けられたガイド部を備えることを特徴とする。
【００１１】
また、好ましくは、前記自撮り棒は、前記コネクタと接続ヘッドとの回転接続位置に設けられる締付け部材を備えることを特徴とする。
【００１２】
また、好ましくは、前記伸縮スティックの下部に、シャッターボタンを有するハンドル部が設けられていることを特徴とする。
【００１３】
また、好ましくは、前記自撮り棒は、一端部が前記シャッターボタンに接続され、且つ他端部に導電コンタクトが設けられるシャッター線を備え、前記接続ヘッドに、前記シャッター線の導電コンタクトを挿着するためのシャッター線ポートが設けられていることを特徴とする。
【００１４】
本発明は、伸縮スティックと、伸縮スティックの頂部に固定される接続ヘッドとを備える自撮り棒であって、ホルダに接続するためのコネクタを備え、前記コネクタの一端部は前記接続ヘッドに回転可能に接続され、他端部にガイド部が設けられ、前記ガイド部に、第１係合溝と第２係合溝が設けられ、前記第１係合溝は、前記コネクタの端面に平行に設けられ、前記第２係合溝は、前記第１係合溝に垂直に設けられ、前記コネクタと接続ヘッドとの回転接続位置に、締付け部材が設けられ、前記伸縮スティックの下部に、シャッターボタンを有するハンドル部が設けられていることを特徴とする。
【発明の効果】
【００１５】
本発明の有益な効果は、以下の通りである。従来技術に比べて、本発明は、構造がシンプルであり、ホルダと合わせて使用できる自撮り棒を提供し、複雑な操作を必要とせず、自撮り棒で直接携帯電話を挟持することによる携帯電話への損傷を防止することができる。また、携帯電話がホルダによりしっかりと自撮り棒に固定されるので、ユーザが揺らしても携帯電話が落下して損傷することがなく、ユーザが揺らしても自撮り棒における携帯電話の位置ずれが生じてユーザの自撮り操作に影響を及ぼすこともない。
【００１６】
以下、図面と実施形態とを合わせて参照し、本発明を更に説明する。
【図面の簡単な説明】
【００１７】
【図１】本発明の一実施形態における収縮状態の自撮り棒の模式図である。
【図２】本発明の一実施形態における伸長状態の自撮り棒の模式図である。
【図３】本発明の一実施形態における自撮り棒の平面図である。
【発明を実施するための形態】
【００１８】
以下、図面を参照して、本発明の好ましい実施形態を詳しく説明する。
【００１９】
図１乃至図３に示すように、本発明は、自撮り棒の好ましい実施形態を提供する。
【００２０】
伸縮スティック１１０と、伸縮スティック１１０の頂部に固定される接続ヘッド１２０とを備える自撮り棒は、ホルダに接続するためのコネクタ１３０を備える。当該コネクタ１３０の一端部は接続ヘッド１２０に回転可能に接続されている。ホルダは、携帯電話又は携帯電話のケースの裏面に設置される。ホルダはバンカーリングを例として、バンカーリングにコネクタ１３０に対応するコネクタ溝を設けてもいい。バンカーリングが携帯電話に固定された後、コネクタ１３０をコネクタ溝に挿入すれば、携帯電話を自撮り棒の頂端に固定できるので、自撮りが容易になる。
【００２１】
具体的には、コネクタ１３０の他端部に、コネクタ１３０を貫通する第１係合溝１３１が設けられている。ホルダが第１係合溝１３１に挿嵌されると、コネクタ１３０の挿着方向における移動を防止できる。当該コネクタ１３０の他端部に、第１係合溝１３１の設置方向とは異なる方向に少なくとも１つの第２係合溝１３３が設けられている。ホルダが第２係合溝１３３に挿嵌されると、コネクタ１３０の挿着方向とは異なる方向への移動が防止できる。当該第１係合溝１３１と第２係合溝１３３とを合わせて使用することによって、コネクタ１３０とホルダとが固定して接続される。第２係合溝１３３は２つ設けられることが好ましい。
【００２２】
また、第１係合溝１３１は、コネクタ１３０の端面に平行に設けられ、第２係合溝１３３は、第１係合溝１３１に垂直に設けられている。ホルダが第１係合溝１３１と第２係合溝１３３に挿嵌されると、コネクタ１３０とホルダとの固定接続に役立つとともに、美観性も向上させることができる。
【００２３】
更に、図３に示すように、コネクタ１３０は、第１係合溝１３１が設けられるガイド部１３１１を備える。当該ガイド部１３１１の一端部に、傾斜面が形成されている。ホルダにコネクタ１３０を挿入するとき、当該ガイド部１３１１がガイドの役割を果たし、傾斜面の位置にコネクタ１３０を止めるので、ホルダへの過挿入を防止し、ホルダとコネクタ１３０との固定接続に役立つ。
【００２４】
更に、コネクタ１３０は、挿着位置に凹溝１３２が形成されている。ユーザが自撮り操作を行うとき、携帯電話は凹溝１３２に当接する。使用中に衝撃が発生したとき、凹溝１３２は携帯電話に対して、一定の緩和機能を果たし、携帯電話への損傷を防止できるとともに、携帯電話は自撮り棒に確実に固定される。
【００２５】
更に、図１と図２に示すように、自撮り棒は、コネクタ１３０と接続ヘッド１２０との回転接続位置に設けられた締付け部材１２４を備える。コネクタ１３０の後端は凸型構造として形成され、接続ヘッド１２０の頂端は凹型構造として形成されており、当該凸型構造と当該凹型構造は互いに係合する。コネクタ１３０と接続ヘッド１２０には、それぞれ締付け孔１２３が設けられている。接続ヘッド１２０は、締付け孔１２３に対応する締付け部材１２４を備える。コネクタ１３０の後端を接続ヘッド１２０の頂端に挿入し、締付け部材１２４を締付け孔１２３に貫通させることにより締付け固定を行う。これにより、締付け部材１２４を回転させることにより、コネクタ１３０と接続ヘッド１２０との締付け状態を解除でき、コネクタ１３０の湾曲角度、すなわち、携帯電話の自撮り角度を調整できるので、携帯電話の様々な角度での自撮りを実現することができる。さらに、締付け部材１２４を再度回転させることにより、コネクタ１３０と接続ヘッド１２０とを締付けることができるので、コネクタ１３０の回転による携帯電話の自撮り操作への影響を抑えることができる。また、締付け部材１２４を緩めた後、接続ヘッド１２０からコネクタ１３０を取り外すことができるので、メンテナンスが容易である。
【００２６】
更に、伸縮スティックの下部にハンドル部１１１が設けられ、当該ハンドル部１１１にシャッターボタン１１１１が設けられる。ユーザは、携帯電話と自撮り棒とを電気的に接続した後、シャッターボタン１１１１を押せば、自撮り操作を実現することができる。ハンドル部１１１はアルミ材質からなるものが好ましく、これは、アルミ材質の構造が固く、損傷し難いためである。
【００２７】
また、自撮り棒は、一端部がシャッターボタン１１１１に接続され且つ他端部に導電コンタクトが設けられるシャッター線１２１を備える。接続ヘッド１２０に、シャッター線１２１の導電コンタクトを挿着するためのシャッター線ポート１２２が設けられている。使用に際して、当該シャッター線１２１の導電コンタクトをシャッター線ポート１２２に挿入し、他端部を携帯電話ポートに挿入することにより、携帯電話と自撮り棒とを電気的に接続させることができる。
【００２８】
上記内容は、本発明の好ましい実施形態を示すだけであり、本発明の保護範囲を限定するものではない。本発明の思想及び原則の範囲内に行われる修正、均等な置き換え、変更等は、いずれも本発明の保護範囲内に該当するものとする。
【図１】
2019537739.tif 000003
【図２】
2019537739.tif 000004
【図３】
2019537739.tif 000005
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
伸縮スティック（１１０）と、伸縮スティック（１１０）の頂部に固定される接続ヘッド（１２０）とを備え、撮影機能を備える携帯電話を、ホルダを介して取り付けて使用する自撮り棒であって、
前記ホルダは、前記携帯電話、または前記携帯電話を収納する携帯電話ケースの裏面に設置されていること、
前記自撮り棒は、前記ホルダに接続するためのコネクタ（１３０）を備え、
当該コネクタ（１３０）の一端部は、接続ヘッド（１２０）に回転可能に接続されている
ことを特徴とする自撮り棒。
【請求項２】
前記コネクタ（１３０）の他端部に、前記携帯電話、または前記携帯電話ケースと係合する第１係合溝（１３１）と、前記第１係合溝（１３１）の設置方向とは異なる設置方向に少なくとも１つの前記携帯電話、または前記携帯電話ケースと係合する第２係合溝（１３３）とが設けられていることを特徴とする請求項１に記載の自撮り棒。
【請求項３】
前記第１係合溝（１３１）は、前記コネクタ（１３０）の端面に平行に設けられ、前記第２係合溝（１３３）は、前記第１係合溝（１３１）に垂直に設けられていることを特徴とする請求項２に記載の自撮り棒。
【請求項４】
前記コネクタ（１３０）は、前記第１係合溝（１３１）が設けられ、前記ホルダをガイドするガイド部（１３１１）を備えることを特徴とする請求項２または３のいずれか１つに記載の自撮り棒。
【請求項５】
前記自撮り棒は、前記コネクタ（１３０）と接続ヘッド（１２０）との回転接続位置に設けられる締付け部材（１２４）を備えることを特徴とする請求項１乃至４のいずれか一つに記載の自撮り棒。
【請求項６】
前記伸縮スティックの下部に、シャッターボタン（１１１１）を有するハンドル部（１１１）が設けられていることを特徴とする請求項１乃至５のいずれか一つに記載の自撮り棒。
【国際調査報告】
2019537739.tif 000006
2019537739.tif 000007
2019537739.tif 000008
2019537739.tif 000009